(57)【要約】【課題】  特性及び耐久性の向上を図ることができる電磁弁を提供する。【解決手段】  カバー１５内のソレノイド２１にコア２２の一部を内嵌し、ソレノイド２１の基端側にプランジャ３１を設ける。プランジャ３１より延出したピン５１を、コア２２に内嵌する一対の軸受け５２で移動自在に支持し、当該プランジャ３１を、軸受け５２で支持された片持ち構造によって電磁弁本体１１に支持する。大径部３３の外周面に磁気受渡部６１を設定し、カバー１５との間で磁束を受け渡す。軸受け５２と逆側に位置する磁気受渡部６１のエッジ部６２に面取りを施して面取り部６３が形成する。【選択図】        図１
2007056962.tif 000002
【特許請求の範囲】
【請求項１】
ソレノイドで励磁されたコアに吸引されて作動するプランジャが、該プランジャより一方側に延出した軸部を一対の軸受けで支持する片持ち構造によって筒状のカバー内で移動自在に支持され、該カバーの内側面に対向した前記プランジャの周面に、前記カバーとの間で磁束の受け渡しを行う磁気受渡部が設定された電磁弁において、
前記各軸受けと逆側に位置する前記磁気受渡部のエッジ部を全周に渡って面取りし、面取り部を形成したことを特徴とする電磁弁。
【請求項２】
前記面取り部を、前記各軸受け側から反対側へ向かうに従って当該プランジャの中心部へ向けて傾斜するテーパー面で構成したこと特徴とする請求項１記載の電磁弁。
【発明の詳細な説明】
【技術分野】
【０００１】
本発明は、油圧を制御する電磁弁に関する。
【背景技術】
【０００２】
従来、自動車の自動変速機を構成する油圧経路には、電磁弁が使用されており、本願出願人によって、図２に示すような電磁弁７０１が考案されている（例えば、特許文献１）。
【０００３】
この電磁弁７０１は、基端側を構成する電磁弁本体７１１と、先端側を構成するノズル部７１２とによって構成されており、該ノズル部７１２には、流量を制御する為のスプール弁７１３が収容されていいる。このノズル部７１２の基端には、円筒状のカバー７１４が嵌着されており、該カバー７１４によって前記電磁弁本体７１１が構成されている。
【０００４】
前記カバー７１４内には、ソレノイド７２１が内嵌されており、該ソレノイド７２１内には、コア７２２が設けられている。該コア７２２の端部には、凹部７２３が設けられており、該凹部７２３の底面は、吸引面７２４を構成している。前記ソレノイド７２１の基端側には、プランジャ７２５が設けられており、該プランジャ７２５は、前記ソレノイド７２１に挿入される挿入部７２６と、該挿入部７２６の基端に設けられた大径部７２７とによって構成されている。該大径部７２７は、外周面が前記カバー７１４に近接するように構成されており、当該大径部７２７の外周面は、前記カバー７１４との間で磁束の受け渡しを行う磁気受渡部７２８を構成している。
【０００５】
前記プランジャ７２５には、軸部を構成するピン７３１が固定されており、該ピン７３１は、前記コア７２２に内嵌した一対の軸受け７３２，７３２によって移動自在に支持されている。これにより、前記プランジャ７２５は、前記軸受け７３２，７３２による片持ち構造によって支持されている。
【０００６】
前記ピン７３１は、前記スプール弁７１３を作動するように構成されており、当該プランジャ７２５が前記コア７２２で吸引されて移動した際に、スプリング７４１で付勢された前記スプール弁７１３をスライドしてオイルの通流量を制御できるように構成されている。
【特許文献１】特願２００５−０１８８４５号公報
【発明の開示】
【発明が解決しようとする課題】
【０００７】
しかしながら、このような電磁弁７０１にあっては、プランジャ７２５を一対の軸受け７３２，７３２で片持ち支持する構造となっているため、少なくとも軸受け７３２，７３２のクリアランス分プランジャ７２５の軸が傾き、該プランジャ７２５からカバー７１４への磁気受渡部７２８のクリアランスに偏りが発生する。これにより、前記プランジャ７２５の前記磁気受渡部７２８におけるエッジ部７５１に磁束が集中することとなる。
【０００８】
すると、前記プランジャ７２５に生ずる横力が大きくなり、出力特性のヒステリシスが大きくなる。また、前記軸受け７３２，７３２の摩耗が促進され、耐久性の低下を招いてしまう。
【０００９】
そして、前記プランジャ７２５の傾きが経時的に大きくなり、最悪の場合には、前記エッジ部７５１が前記カバー７１４に干渉し、当該プランジャ７２５が作動不能となる恐れがある。
【００１０】
本発明は、このような従来の課題に鑑みてなされたものであり、特性及び耐久性の向上を図ることができる電磁弁を提供することを目的とするものである。
【課題を解決するための手段】
【００１１】
前記課題を解決するために本発明の請求項１の電磁弁においては、ソレノイドで励磁されたコアに吸引されて作動するプランジャが、該プランジャより一方側に延出した軸部を一対の軸受けで支持する片持ち構造によって筒状のカバー内で移動自在に支持され、該カバーの内側面に対向した前記プランジャの周面に、前記カバーとの間で磁束の受け渡しを行う磁気受渡部が設定された電磁弁において、前記各軸受けと逆側に位置する前記磁気受渡部のエッジ部を全周に渡って面取りし、面取り部を形成した。
【００１２】
すなわち、一対の軸受けによる片持ち構造によって支持されたプランジャは、傾きが生じ易く、当該プランジャに設定された磁気受渡部とカバーとのクリアランスに偏りが発生する。すると、前記各軸受けと逆側に位置する前記磁気受渡部のエッジ部が前記カバーに近接することとなり、当該エッジ部に磁束が集中してしまう。
【００１３】
そこで、本発明にあっては、前記各軸受けと逆側に位置する前記磁気受渡部のエッジ部が全周に渡って面取りされており、面取り部が形成されている。このため、前記プランジャの傾きによって前記エッジ部が前記カバーに近接する現象を防止することができ、当該エッジ部での磁束の集中が回避される。
【００１４】
また、請求項２の電磁弁にあっては、前記面取り部を、前記各軸受け側から反対側へ向かうに従って当該プランジャの中心部へ向けて傾斜するテーパー面で構成した。
【００１５】
すなわち、プランジャの磁気受渡部に形成された面取り部は、前記各軸受け側から反対側へ向かうに従って前記カバーから離れる方向に傾斜している。
【００１６】
このため、前記プランジャが傾いた際に前記カバーに最も近づく前記面取り部の端部を、前記カバーから、より離間させることができる。
【発明の効果】
【００１７】
以上説明したように本発明の請求項１の電磁弁においては、片持ち構造で支持されたプランジャが傾いた際に、この傾きによって磁気受渡部のエッジ部がカバーに近接する現象を、前記磁気受渡部のエッジ部に形成された面取り部によって防止することができ、当該エッジ部での磁束の集中を回避することができる。
【００１８】
これにより、磁束集中に起因したプランジャへの横力の発生を抑制することができ、出力特性のヒステリシスを小さくすることができる。
【００１９】
また、前記横力を低減することによって、当該プランジャを支持する軸受けの摩耗を抑制することができ、耐久性の向上に寄与することができる。
【００２０】
そして、前記エッジ部に面取りを施して面取り部を形成することにより、前記エッジ部から前記カバーまでの離間距離を大きくすることができる。これにより、前記プランジャが経時的に傾いた場合であっても、前記エッジ部が前記カバーに干渉するまでの時間を長くすることができる。
【００２１】
したがって、プランジャ作動不良が発生するまでの耐久保証時間を長くすることができ、耐久性の向上を図ることができる。
【００２２】
また、請求項２の電磁弁にあっては、プランジャの磁気受渡部に形成された面取り部を、各軸受け側から反対側へ向かうに従って前記カバーから離れる方向に傾斜したテーパー面で構成したので、前記プランジャが傾いた際に前記カバーに最も近づく前記面取り部の端部を、前記カバーから最も遠ざけることができる。
【発明を実施するための最良の形態】
【００２３】
以下、本発明の一実施の形態を図面に従って説明する。図１は、本実施の形態にかかる電磁弁１を示す図であり、該電磁弁１は、例えばオートマチックトランスミッションの油圧回路で油圧を制御するものである。
【００２４】
この電磁弁１は、基端側を構成する電磁弁本体１１と、先端側を構成するノズル部１２とによって構成されている。該ノズル部１２には、長さ方向にスライド駆動されるスプール弁１３が収容されており、該スプール弁１３に設けられた各弁部１４によってオイルの通流量を制御できるように構成されている。このノズル部１２の基端には、円筒状のカバー１５が嵌着されており、該カバー１５によって前記電磁弁本体１１が構成されている。
【００２５】
すなわち、前記カバー１５内には、樹脂モードされたソレノイド２１が内嵌されており、該ソレノイド２１内には、当該ソレノイド２１で励磁されるコア２２の一部が内嵌されている。該コア２２は、前記ソレノイド２１に内嵌された円筒状の円筒部２３と、該円筒部２３の先端部に設けられた先端鍔部２４とによって一体形成されており、該先端鍔部２４が、前記ノズル部１２基端の鍔部２５と共に前記カバー１５にカシメられた状態で固定されている。前記円筒部２３の端部には、凹部２６が設けられており、該凹部２６の底面は、当該コア２２が前記ソレノイド２１で励磁された際の吸引面２７を構成している。
【００２６】
前記ソレノイド２１の基端側には、プランジャ３１が設けられており、該プランジャ３１は、前記ソレノイド２１の基端部に挿入される挿入部３２と、該挿入部３２の基端に設けられた大径部３３とによって構成されている。前記挿入部３２は、前記コア２２の前記凹部２６内に移動自在に遊嵌する小径部３４と、該小径部３４より基端側に設けられ前記ソレノイド２１に移動自在に遊嵌する中径部３５とからなり、前記小径部３４の先端面は、前記コア２２の前記吸引面２７に吸引される被吸引面３６を構成している。
【００２７】
前記大径部３３は、前記中径部３５より大径に形成されており、前記カバー１５内に移動自在に内嵌するとともに、前記ソレノイド２１の基端面に沿って延在するように構成されている。この大径部３３には、複数箇所に逃げ穴４１，４１が形成されており、当該プランジャ３１作動時でのオイルの通流を許容できるように構成されている。前記カバー１５基端に設けられた開口部４２は、エンドキャップ４３で閉鎖されており、該エンドキャップ４３と前記コア２２との間に、前記プランジャ３１が移動自在に収容されている。
【００２８】
前記プランジャ３１には、軸部としてのピン５１が固定されており、該ピン５１は、当該プランジャ３１より先端側へ延出するように構成されている。このピン５１は、前記コア２２に内嵌された一対の軸受け５２，５２によって軸方向へ移動自在に支持されている。これにより、前記プランジャ３１は、前記軸受け５２，５２で前記ピン５１が支持された片持ち構造によって当該電磁弁本体１１に支持されている。
【００２９】
前記カバー１５の内側面に対向した前記プランジャ３１の前記大径部３３の外周面には、磁気受渡部６１が設定されており、当該プランジャ３１を通過する磁束が、この磁気受渡部６１を介して、前記カバー１５との間で受け渡されるように構成されている。前記各軸受け５２，５２と逆側（電磁弁１の基端側）に位置する前記磁気受渡部６１のエッジ部６２、すなわち前記大径部３３のエッジ部６２は、全周に渡って面取りが施されており、当該エッジ部６２には、面取り部６３が形成されている。
【００３０】
この面取り部６３は、前記各軸受け５２，５２側（当該電磁弁１の先端側「図中左方」）から反対側（当該電磁弁１の基端側「図中右方」）へ向かうに従って当該プランジャ３１の中心軸６５へ向けて傾斜したテーパー面で構成されている。
【００３１】
そして、前記ピン５１は、前記ノズル１２内に設けられた前記スプール弁１３を押圧して作動するように構成されており、当該プランジャ３１が前記コア２２で吸引されて移動した際に、コイルスプリング７１で付勢された前記スプール弁１３をスライドしてオイルの通流量を制御できるように構成されている。
【００３２】
以上の構成にかかる本実施の形態にあっては、一対の軸受け５２，５２による片持ち構造によって支持されたプランジャ３１は、その中心軸６５に傾きが生じ易く、当該プランジャ３１に設定された磁気受渡部６１とカバー１５とのクリアランスに偏りが発生する。すると、前記各軸受け５２，５２と逆側に位置する前記磁気受渡部６１のエッジ部６２が前記カバー１５に近接することとなり、当該エッジ部６２に磁束が集中してしまう。
【００３３】
そこで、本実施の形態にあっては、前記各軸受け５２，５２と逆側に位置する前記磁気受渡部６１のエッジ部６２が全周に渡って面取りされており、面取り部６３が形成されている。このため、前記プランジャ３１の傾きによって前記エッジ部６２が前記カバー１５に近接する現象を防止することができ、当該エッジ部６２での磁束の集中を回避することができる。これにより、磁束集中に起因した前記プランジャ３１への横力の発生を抑制することができ、出力特性のヒステリシスを小さくすることができる。
【００３４】
また、前記横力を低減することによって、当該プランジャ３１を支持する軸受け５２，５２の摩耗を抑制することができる。これにより、耐久性の向上に寄与することができる。
【００３５】
そして、前記エッジ部６２に面取りを施して面取り部６３を形成することによって、前記エッジ部６２から前記カバー１５までの離間距離を大きくすることができる。これにより、前記プランジャ３１が経時的に傾いた場合であっても、前記エッジ部６２が前記カバー１５に干渉するまでの時間を長くすることができる。
【００３６】
したがって、プランジャ作動不良が発生するまでの耐久保証時間を長くすることができ、耐久性の向上を図ることができる。
【００３７】
また、前記プランジャ３１の前記磁気受渡部６１に形成された前記面取り部６３は、前記各軸受け５２，５２側から反対側へ向かうに従って前記カバー１５から離れる方向に傾斜したテーパー面で構成されている。
【００３８】
このため、前記プランジャ３１が傾いた際に前記カバー１５に最も近づく前記面取り部６３の端部を、前記カバー１５から最も遠ざけることができる。
【００３９】
これにより、前述した構成による効果の増大を図ることができる。
【図面の簡単な説明】
【００４０】
【図１】本発明の一実施の形態を示す断面図ある。
【図２】従来の電磁弁を示す断面図である。
【符号の説明】
【００４１】
１    電磁弁
１５    カバー
２１    ソレノイド
２２    コア
３１    プランジャ
５１    ピン
５２    軸受け
６５    中心軸
６１    磁気受渡部
６２    エッジ部
６３    面取り部
【図１】
2007056962.tif 000003
【図２】
2007056962.tif 000004